(57)【特許請求の範囲】
【請求項１】
メンテナンスコントローラから得られた波長合波装置における偏波スクランブルの有無および偏波スクランブル速度の情報を授受する監視装置と、
上記監視装置から授受された偏波スクランブルの有無および偏波スクランブル速度の情報に応じてＦＥＣフレームの長さを可変設定する監視制御部と、
上記監視制御部により設定された長さのＦＥＣフレームに送信データを設定すると共に電気／光変換して送信する光信号送信部とを備えた光送信装置。
【請求項２】
監視装置は、
授受された波長合波装置における偏波スクランブルの有無および偏波スクランブル速度の情報を、光受信装置の監視装置に送信することを特徴とする請求項１記載の光送信装置。
【請求項３】
送信側の波長合波装置における偏波スクランブルの有無および偏波スクランブル速度の情報を授受する監視装置と、
上記監視装置から授受された偏波スクランブルの有無および偏波スクランブル速度の情報に応じてＦＥＣフレームの長さを可変設定する監視制御部と、
受信光信号を光／電気変換すると共に上記監視制御部により設定された長さのＦＥＣフレームに応じてＦＥＣ処理する光信号受信部とを備えた光受信装置。
【請求項４】
監視装置は、
デジタルコヒーレント光送信装置に設けられ、
監視制御部および光信号送信部は、
上記デジタルコヒーレント光送信装置内の各デジタルコヒーレント光送信機に設けられたことを特徴とする請求項１または請求項２記載の光送信装置。
【請求項５】
監視装置は、
デジタルコヒーレント光受信装置に設けられ、
監視制御部および光信号受信部は、
上記デジタルコヒーレント光受信装置内の各デジタルコヒーレント光受信機に設けられたことを特徴とする請求項３記載の光受信装置。
【請求項６】
請求項４記載のデジタルコヒーレント光送信装置と
請求項５記載のデジタルコヒーレント光受信装置とが光ケーブルにより接続されたことを特徴とする光海底ケーブル通信システム。
【発明の詳細な説明】
【技術分野】
【０００１】
本発明は、既存の光海底ケーブルシステムで高信頼性通信を実現させている偏波スクランブラ装置の影響によるデジタルコヒーレント光通信性能の悪化を防止するための機能を追加した光送信装置、光受信装置、および光海底ケーブル通信システムに関する。
【背景技術】
【０００２】
近年、光海底ケーブル通信システムは、インターネット契約者の増加や映像コンテンツの増加など、通信需要の高まりを受けて、大容量化の要求が高まっている。
このような背景から波長多重の増加、伝送速度の高速化による通信容量の大容量化の技術革新が進んできている。
【０００３】
一方、光海底ケーブル通信システムにおける長距離伝送において、伝送速度の向上に伴い、光増幅中継器で使用しているエルビウムドープファイバ増幅器で発生する自然放出雑音、非線形効果、分散、偏光依存性利得（以下、ＰＤＧと称す）、偏光依存性損失（以下、ＰＤＬと称す）および偏波モード分散（以下、ＰＭＤと称す）により、光信号の伝送品質の劣化が発生することが知られている。
例えば、分散やＰＭＤの影響は、伝送速度の２乗に比例して増大するため、伝送速度の高速化に伴い、光海底ケーブル通信システムの伝送品質設計において課題となっていた。
【０００４】
この課題を解決するため、近年、様々な変調方式の光通信システムや前方誤り訂正（以下、ＦＥＣと称す）機能、長距離伝送によって発生する偏波状態の時間的揺らぎをキャンセルする偏波スクランブラ（以下、ＰＳＣＲと称す）装置が考案されてきた（例えば、下記特許文献１参照）。
【０００５】
さらに、近年、光海底ケーブル通信システムにおける伝送速度の向上の一つの方式として、受信側にデジタル信号プロセッサを用いることにより、電気領域で波長分散と偏波モード分散を補償でき、また、多様な多値変調方式に対応できる、デジタルコヒーレント光通信システムが、活発に研究・開発されている。
【０００６】
しかし、上記のような既存のＳＰＣＲ装置が導入された光海底ケーブル通信システムに、上記のようなデジタルコヒーレント光通信システムの送受信器を導入しようとした場合、既存の偏波スクランブルされた光信号の影響によって、デジタルコヒーレント送受信器で伝送される光信号において、偏波モード分散の影響を受信側のデジタル信号プロセッサで補償できなくなり、伝送品質の劣化が発生する課題がある。
【０００７】
この課題を解決するため、既存のＳＰＣＲ装置を光海底ケーブル通信システムから削除するか、ＳＰＣＲ装置の偏波スクランブル速度を受信側のデジタル信号プロセッサで補償できる領域まで低速化するなどの対策を行う必要がある。
また、各波長の光信号の偏波スクランブルの有無に関する情報を収集し、該収集した情報に基づいて偏波変動を補償する装置も検討されている（例えば、下記特許文献２参照）。
【先行技術文献】
【特許文献】
【０００８】
【特許文献１】特開平９−１４９００６号公報
【特許文献２】特開２０１１−２２３１８５号公報
【発明の概要】
【発明が解決しようとする課題】
【０００９】
しかし、既存のＰＳＣＲ装置が導入された光海底ケーブル通信システムに、上記のようなデジタルコヒーレント光通信システムの送受信器を導入しようとした場合、ＰＳＣＲ装置の削除、ＰＳＣＲの低速化では、伝送品質が最悪となる偏波状態が同一ＦＥＣフレーム内部に偏り、訂正不能状態が発生する課題があった。
また、上記特許文献２に記載されているような各波長の光信号の偏波スクランブルの有無に関する情報を収集し、該収集した情報に基づいて偏波変動を補償する偏波変動補償装置を具備する光海底ケーブル通信システムでは、偏波スクランブル検出器、および偏波制御器が必要となるなどシステムが大型化する課題があった。
【００１０】
本発明は、既存の光海底ケーブル通信システムの高信頼通信を確保しつつ、大型化することなく、高速かつ大容量な光送信装置を得ることを目的とする。
【課題を解決するための手段】
【００１１】
本発明の光送信装置は、メンテナンスコントローラから得られた波長合波装置における偏波スクランブルの有無および偏波スクランブル速度の情報を授受する監視装置と、監視装置から授受された偏波スクランブルの有無および偏波スクランブル速度の情報に応じてＦＥＣフレームの長さを可変設定する監視制御部と、監視制御部により設定された長さのＦＥＣフレームに送信データを設定すると共に電気／光変換して送信する光信号送信部とを備えたものである。
【発明の効果】
【００１２】
本発明によれば、偏波スクランブルの有無および偏波スクランブル速度の情報に応じてＦＥＣフレームの長さを可変設定し、エラーフリー訂正で通信できる制御機能を備えるため、既存の光海底ケーブル通信システムの高信頼通信を確保しつつ、大型化することなく、高速かつ大容量な光送信装置を得ることができる効果がある。
【図面の簡単な説明】
【００１３】
【図１】本発明の実施の形態１による光海底ケーブル通信システムを示す構成図である。
【図２】本発明の実施の形態１によるデジタルコヒーレント光送信機の詳細構成を示す機能ブロック図である。
【図３】本発明の実施の形態１によるデジタルコヒーレント光受信機の詳細構成を示す機能ブロック図である。
【図４】本発明の実施の形態２による光送信機および光受信機の詳細構成を示す機能ブロック図である。
【発明を実施するための形態】
【００１４】
実施の形態１．
以下に、本発明の実施の形態を図に基づいて説明する。
図１は実施の形態１の既存の光海底ケーブル通信システムとデジタルコヒーレント光通信システムが混合する光海底ケーブル通信システム１を示す全体構成図である。
【００１５】
光海底ケーブル通信システム１は、既存の光送信装置２と、増設するデジタルコヒーレント光送信装置３と、各光送信装置２，３からの光送信信号を合波する波長合波装置４と、光海底ケーブル通信システム１を監視制御するメンテナンスコントローラ５と、各システムからの光送信信号を分波する波長分波装置６と、既存の光受信装置７と、デジタルコヒーレント光受信装置８と、波長合波装置４と波長分波装置６の間を接続する光ケーブル９と、光ケーブル９で劣化した光信号を増幅する光海底中継器１０から構成される。
【００１６】
既存の光送信装置２は、複数の光送信機２１と、複数の光送信機２１を監視制御する監視装置２２とを備える。
【００１７】
増設するデジタルコヒーレント光送信装置３は、複数のデジタルコヒーレント光送信機３１と、複数のデジタルコヒーレント光送信機３１を監視制御する監視装置３２とを備える。
【００１８】
各光送信装置２，３からの光送信信号を合波する波長合波装置４は、光送信信号を合波する波長合波器４１と、波長合波器４１で損失した光送信信号を増幅する光増幅器４２と、増幅された信号を１対１で合波する光カプラ４３と、ＰＳＣＲ装置（偏波スクランブル装置）４４とを備える。
ここで、ＰＳＣＲ装置４４は、長距離伝送によって発生する偏波状態の時間的揺らぎをキャンセルするものである。
【００１９】
光ケーブル９を通じて受信される光受信信号を分波する波長分波装置６は、光受信信号を増幅する光増幅器６１と、増幅された信号を１対１で分波する光カプラ６２と、光受信信号を分波する波長分波器６３とを備える。
【００２０】
既存の光受信装置７は、複数の光受信機７１と、複数の光受信機７１を監視制御する監視装置７２とを備える。
【００２１】
増設するデジタルコヒーレント光受信装置８は、複数のデジタルコヒーレント光受信機８１と、複数のデジタルコヒーレント光受信機８１を監視制御する監視装置８２とを備える。
【００２２】
図２に、デジタルコヒーレント光送信機３１の詳細構成の機能ブロックを示す。
デジタルコヒーレント光送信機３１において、まず、ＣＷ光源３１１からＣＷ光が出力され、偏波ビームスプリッタ（以下、ＰＢＳと称す）からなる光分岐部３１２に入力される。光分岐部３１２に入力されたＣＷ光は、ＰＢＳによりＸ偏波成分とＹ偏波成分に分離され、それぞれの変調器３１６に入力される。
【００２３】
一方、送信パラレル電子データがＦＥＣ部３１３に入力され、送信パラレル電子データに誤り訂正用のパリティ（誤り訂正符号）が追加されたＦＥＣフレームが生成される。
さらに、ＦＥＣフレームが印加された送信パラレル電子データは、ＤＳＰ３１４により例えば、トレーニングパタンの挿入を行い、ＳＦＩ−５信号として出力する。
その後、送信信号生成部３１５においてＳＦＩ−５信号を多重化し、Ｘ／Ｙ偏波の２４．４Ｇｂｐｓデータとして出力され、それぞれの変調器３１６により、Ｘ偏波成分の光変調信号とＹ偏波成分の光変調信号に変換される。
これらは、偏波ビーム合成器（以下、ＰＢＣと称す）３１７で合波され、送信光信号がデジタルコヒーレント光送信機３１から送出される。
【００２４】
図３に、デジタルコヒーレント光受信機８１の詳細構成の機能ブロックを示す。
デジタルコヒーレント光受信機８１において、まず、ＣＷ光源８１１からＣＷ光が出力され、ＰＢＳからなる光分岐部８１２に入力される。光分岐部８１２に入力されたＣＷ光は、ＰＢＳによりＸ偏波成分とＹ偏波成分に分離され、受信フロントエンド部（以下、ＦＥと称す）８１４に局発光として入力される。
【００２５】
一方、受信光信号が受信され、受信光信号は、ＰＢＳからなる光分岐部８１３に入力され、受信光信号のＸ偏波成分とＹ偏波成分に分離される。その後、ＦＥ８１４に入力される。
ＦＥ８１４において、受信光信号のＸ偏波成分とＣＷ光のＸ偏波成分、また、受信光信号のＹ偏波成分とＣＷ光のＹ偏波成分がそれぞれコヒーレント検波され、電気パラレル信号に光電変換される。
電気パラレル信号は、ＤＳＰ８１５に入力され、電気パラレル信号がＤＳＰ８１５から出力される。
ＤＳＰ８１５では、トレーニングパタンの抽出を行い、トレーニングパタンから受信光信号の周波数等を推定する。
最後に、電気パラレル信号はＦＥＣ部８１６においてＦＥＣ処理を施されて、ビットエラーが低減された受信パラレル電気信号が出力される。
以上の方法により、ＤＰ−ＱＰＳＫ方式の光信号を送受信して、データを通信する。
【００２６】
以下、本実施の形態１の特徴について説明する。
図２に示すデジタルコヒーレント光送信機３１における特徴は、ＰＳＣＲの有無およびＰＳＣＲ速度の情報に応じてＦＥＣフレーム（インターリーブ領域）の長さを可変設定する監視制御部３２０を備えたことにある。
【００２７】
図１に示す光海底ケーブル通信システム１を監視制御するメンテナンスコントローラ５は、波長合波装置４におけるＰＳＣＲの有無およびＰＳＣＲ速度の情報を、デジタルコヒーレント光送信装置３の監視装置３２に出力する。
監視装置３２は、波長合波装置４におけるＰＳＣＲの有無およびＰＳＣＲ速度の情報を、図２に示すデジタルコヒーレント光送信機３１の監視制御部３２０に出力する。
【００２８】
監視制御部３２０において、波長合波装置４におけるＰＳＣＲの有無およびＰＳＣＲ速度の情報を、情報収集部３２０１にて授受する。
演算部３２０２は、授受されたＰＳＣＲの有無およびＰＳＣＲ速度の情報に応じた、最適なＦＥＣフレームの長さを演算する。
【００２９】
演算部３２０２における具体的な演算手段としては、記録部３２０３に予め設定されたメモリテーブルからＰＳＣＲの有無およびＰＳＣＲ速度の情報に応じた最適なＦＥＣフレームの長さを抽出することにより行われる。
設定部３２０４は、演算部３２０２により最適化された長さにＦＥＣ部３１３におけるＦＥＣフレームを設定し、送信パラレル電子データに誤り訂正用のパリティが追加されたＦＥＣフレームが生成される。
【００３０】
また、デジタルコヒーレント光送信装置３の監視装置３２に、送信側の波長合波装置４におけるＰＳＣＲの有無およびＰＳＣＲ速度の情報を、デジタルコヒーレント光受信装置８の監視装置８２へ送信する機能を備える。
【００３１】
図３に示すデジタルコヒーレント光受信機８１における特徴は、ＰＳＣＲの有無およびＰＳＣＲ速度の情報に応じてＦＥＣフレームの長さを可変設定する監視制御部８２０を備えたことにある。
【００３２】
図１に示すデジタルコヒーレント光送信装置３の監視装置３２は、送信側の波長合波装置４におけるＰＳＣＲの有無およびＰＳＣＲ速度の情報を、デジタルコヒーレント光受信装置８の監視装置８２へ送信する。
監視装置８２は、波長合波装置４におけるＰＳＣＲの有無およびＰＳＣＲ速度の情報を、図３に示すデジタルコヒーレント光受信機８１の監視制御部８２０に出力する。
監視装置３２から監視装置８２への情報の伝達は、監視制御情報を通信するための専用光信号であるOptical Supervisory Channel（ＯＳＣ）光を用いて行なう。
また、ＯＳＣ光に限らず、既存の光送信装置から送信される光信号が持つ、制御監視用の帯域であるData Communication Channel（ＤＣＣ）や光海底ケーブル通信システムとは別の公衆回線でも通信可能であることは明白である。
【００３３】
監視制御部８２０において、波長合波装置４におけるＰＳＣＲの有無およびＰＳＣＲ速度の情報を、情報収集部８２０１にて授受する。
演算部８２０２は、授受されたＰＳＣＲの有無およびＰＳＣＲ速度の情報に応じた、最適なＦＥＣフレームの長さを演算する。
ＰＳＣＲ速度に対するＦＥＣフレームの最適化は、例えば、ＦＥＣフレーム内でデータ位置を交換するインタリーブの長さを変更することで実現する。
ＦＥＣフレームは、複数の誤り訂正ブロックから構成され、ブロック内で訂正可能なビットエラー数が限られる。
通常、ＦＥＣ部では、ビットエラーが集中するバーストエラーが発生した場合、訂正不可状態となることを避けるため、ＦＥＣフレーム内でインタリーブを行い、集中したビットエラーを複数のブロックに分散させて、訂正可能なビットエラー数まで低減させる。
例えば、ＰＳＣＲが偏波を変更する速度が遅くすると、伝送品質が最悪となる偏波状態が特定ＦＥＣフレームの期間に集中して、訂正不能状態に至る。
これを回避するため、ＰＳＣＲ速度に応じてＦＥＣフレーム長を長くして、インタリーブを行なうことで、個々のブロック内のビットエラー数を減らし、エラーフリーな伝送特性を実現する。
【００３４】
演算部８２０２における具体的な演算手段としては、記録部８２０３に予め設定されたメモリテーブルからＰＳＣＲの有無およびＰＳＣＲ速度の情報に応じた最適なＦＥＣフレームの長さを抽出することにより行われる。
設定部８２０４は、演算部８２０２により最適化された長さにＦＥＣ部８１６におけるＦＥＣフレームを設定し、ＦＥＣ処理を施されて、ビットエラーが低減された受信パラレル電気信号が出力される。
【００３５】
このように、既存の光海底ケーブル通信システム１のＰＳＣＲの有無およびＰＳＣＲ速度の情報に基づいて、送信側のＦＥＣ部３１３および受信側のＦＥＣ部８１６のＦＥＣフレーム長を最適化することにより、エラーフリーな伝送特性を実現できる。
【００３６】
以上のように、本実施の形態１では、光海底ケーブル通信システム１に、デジタルコヒーレント光通信システムを増設する場合に、デジタルコヒーレント光送信装置３と、メンテナンスコントローラ５と、デジタルコヒーレント光受信装置８を適用することにより、既存の光海底ケーブル通信システム１の高信頼通信を確保しつつ、大型化することなく、高速かつ大容量なデジタルコヒーレント光通信システムを実現できる。
【００３７】
なお、本実施の形態１では、多重４重位相変調方式（Dual Polarization-Quadrature Phase Shift keying，DP-QPSK）を例に説明を行ったが、その他の変調方式としての４重位相変調方式や、８重位相変調方式や、直交位相振幅変調方式等にも適用できる。
【００３８】
実施の形態２．
実施の形態１では、デジタルコヒーレント光送信機３１に監視制御部３２０を搭載し、デジタルコヒーレント光受信機８１に監視制御部８２０を搭載した構成について説明したが、既存の光送信装置２の光送信機２１に監視制御部を搭載し、既存の光受信装置７の光受信機７１に監視制御部を搭載してもよい。
【００３９】
図４に、実施の形態２の既存の光送信機２１、光受信機７１の詳細構成の機能ブロック図を示す。
なお、以下、実施の形態１と同様の構成や動作に関しては、説明を省略する。
実施の形態２における既存の光送信装置２は、既存の複数の光送信機２１と、複数の光送信機２１を監視制御する監視装置２２とを備えている。
また、既存の光受信装置７は、既存の複数の光受信機７１と、複数の光受信機７１を監視制御する監視装置７２とを備えている。
【００４０】
光送信機２１において、まず、ＣＷ光源２１１からＣＷ光が出力され、変調器２１６に入力される。
一方、送信パラレル電子データがＦＥＣ部２１３に入力され、送信パラレル電子データに誤り訂正用のパリティが追加されたＦＥＣフレームが生成される。
さらに、ＦＥＣフレームが印加された送信パラレル電子データは、送信信号生成部２１５を通じて変調器２１６により、光変調信号に変換され、送信光信号が光送信機２１から送出される。
【００４１】
また、光受信機７１において、受信光信号が受信され、受信光信号は、ＦＥ７１４において検波され、電気パラレル信号に光電変換される。
電気パラレル信号は、受信信号生成部７１５を通じてＦＥＣ部７１６においてＦＥＣ処理を施されて、ビットエラーが低減された受信パラレル電気信号が出力される。
以上の方法により、ＱＰＳＫ方式の光信号を送受信して、データを通信する。
【００４２】
以下、本実施の形態２の特徴について説明する。
図４に示す光送信機２１における特徴は、ＰＳＣＲの有無およびＰＳＣＲ速度の情報に応じてＦＥＣフレームの長さを可変設定する監視制御部２２０を備えたことにある。
【００４３】
図１に示す光海底ケーブル通信システム１を監視制御するメンテナンスコントローラ５は、波長合波装置４におけるＰＳＣＲの有無およびＰＳＣＲ速度の情報を、光送信装置２の監視装置２２に出力する。
監視装置２２は、波長合波装置４におけるＰＳＣＲの有無およびＰＳＣＲ速度の情報を、図４に示す光送信機２１の監視制御部２２０に出力する。
【００４４】
監視制御部２２０において、波長合波装置４におけるＰＳＣＲの有無およびＰＳＣＲ速度の情報を、情報収集部２２０１にて授受する。
演算部２２０２は、授受されたＰＳＣＲの有無およびＰＳＣＲ速度の情報に応じた、最適なＦＥＣフレームの長さを演算する。
【００４５】
演算部２２０２における具体的な演算手段としては、記録部２２０３に予め設定されたメモリテーブルからＰＳＣＲの有無およびＰＳＣＲ速度の情報に応じた最適なＦＥＣフレームの長さを抽出することにより行われる。
設定部２２０４は、演算部２２０２により最適化された長さにＦＥＣ部２１３におけるＦＥＣフレームを設定し、送信パラレル電子データに誤り訂正用のパリティが追加されたＦＥＣフレームが生成される。
【００４６】
また、デジタルコヒーレント光送信装置２の監視装置２２に、送信側の波長合波装置４におけるＰＳＣＲの有無およびＰＳＣＲ速度の情報を、光受信装置７の監視装置７２へ送信する機能を備える。
【００４７】
図４に示す光受信機７１における特徴は、ＰＳＣＲの有無およびＰＳＣＲ速度の情報に応じてＦＥＣフレームの長さを可変設定する監視制御部７２０を備えたことにある。
【００４８】
図１に示す光送信装置２の監視装置２２は、送信側の波長合波装置４におけるＰＳＣＲの有無およびＰＳＣＲ速度の情報を、光受信装置７の監視装置７２へ送信する。
監視装置７２は、波長合波装置４におけるＰＳＣＲの有無およびＰＳＣＲ速度の情報を、図４に示す光受信機７１の監視制御部７２０に出力する。
【００４９】
監視制御部７２０において、波長合波装置４におけるＰＳＣＲの有無およびＰＳＣＲ速度の情報を、情報収集部７２０１にて授受する。
演算部７２０２は、授受されたＰＳＣＲの有無およびＰＳＣＲ速度の情報に応じた、最適なＦＥＣフレームの長さを演算する。
【００５０】
演算部７２０２における具体的な演算手段としては、記録部７２０３に予め設定されたメモリテーブルからＰＳＣＲの有無およびＰＳＣＲ速度の情報に応じた最適なＦＥＣフレームの長さを抽出することにより行われる。
設定部７２０４は、演算部７２０２により最適化された長さにＦＥＣ部７１６におけるＦＥＣフレームを設定し、ＦＥＣ処理を施されて、ビットエラーが低減された受信パラレル電気信号が出力される。
【００５１】
このように、既存の光海底ケーブル通信システム１のＰＳＣＲの有無およびＰＳＣＲ速度の情報に基づいて、送信側のＦＥＣ部２１３および受信側のＦＥＣ部７１６のＦＥＣフレーム長を最適化することにより、エラーフリーな伝送特性を実現できる。
【００５２】
以上のように、本実施の形態２では、光海底ケーブル通信システム１に、光送信装置２と、メンテナンスコントローラ５と、光受信装置７を適用することにより、既存の光海底ケーブル通信システム１の高信頼通信を確保しつつ、大型化することなく、高速かつ大容量な光通信システムを実現できる。
【００５３】
なお、本実施の形態２では、４重位相変調方式（Quadrature Phase Shift keying， QPSK）を例に説明を行ったが、その他の変調方式としての多重４重位相変調方式や、８重位相変調方式や、直交位相振幅変調方式等にも適用できる。
【００５４】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５５】
１  光海底ケーブル通信システム、２  光送信装置、３  デジタルコヒーレント光送信装置、４  波長合波装置、５  メンテナンスコントローラ、６  波長分波装置、７  光受信装置、８  デジタルコヒーレント光受信装置、９  光ケーブル、１０  光海底中継器、２１  光送信機、２２，３２，７２，８２  監視装置、３１  デジタルコヒーレント光送信機、４１  波長合波器、４２，６１  光増幅器、４３，６２  光カプラ、４４  ＰＳＣＲ装置、６３  波長分波器、７１  光受信機、８１  デジタルコヒーレント光受信機、２１１，３１１，８１１  ＣＷ光源、２１３，３１３，７１６，８１６  ＦＥＣ部、２１６，３１６  変調器、２２０，３２０，７２０，８２０  監視制御部、３１２，８１２  光分岐部、３１４，８１５  ＤＳＰ、３１５  送信信号生成部、３１７  偏波ビーム合成器、７１４，８１４  受信フロントエンド部、７１５  受信信号生成部、２２０１，３２０１，７２０１，８２０１  情報収集部、２２０２，３２０２，７２０２，８２０２  演算部、２２０３，３２０３，７２０３，８２０３  記録部、２２０４，３２０４，７２０４，８２０４  設定部。
【図１】
0005968092.tif 000002
【図２】
0005968092.tif 000003
【図３】
0005968092.tif 000004
【図４】
0005968092.tif 000005